(57)【特許請求の範囲】
【請求項１】
複数の収納部と、前記収納部の各々に設けられた電気錠の施解錠を制御する電気錠制御装置と、前記電気錠制御装置と通信可能に接続して前記収納部の各々の使用状況を管理する上位コントローラとを備えた収納装置において、
前記電気錠制御装置は、
固有のカードＩＤ情報を有するＩＣカードに記録されている情報の読み取り、または前記ＩＣカードに記録する情報の書き込みを行うＩＣカード通信手段と、
前記収納部が解錠されている未使用状態であって、かつ前記収納部が選択されたことを示す情報である選択済み情報が前記ＩＣカードに記録されていない場合に、前記ＩＣカードから読み取った前記カードＩＤ情報を格納する格納手段と、
前記格納手段に格納されている前記カードＩＤ情報と、前記ＩＣカードから読み取った前記カードＩＤ情報とを照合する照合手段と、
前記カードＩＤ情報の格納により前記電気錠を施錠するとともに、前記収納部が前記ＩＣカードに割り当てられていない未使用状態から前記収納部が前記ＩＣカードに割り当てられた使用状態に更新し、前記照合手段による前記カードＩＤ情報の照合の成立により前記電気錠を施錠または解錠する電気錠制御手段と、
前記カードＩＤ情報と、前記カードＩＤ情報の格納により前記電気錠を施錠した前記収納部に固有の収納部ＩＤ情報を前記上位コントローラに送信する送信手段と、
を備え、
前記上位コントローラは、
前記カードＩＤ情報と前記収納部ＩＤ情報とを前記電気錠制御装置から受信する受信手段と、
前記カードＩＤ情報と前記収納部ＩＤ情報とから、前記収納部と前記ＩＣカードとの対応関係を管理する管理手段と、
前記ＩＣカードの返却を受け付けて前記ＩＣカードの前記カードＩＤ情報に対応する前記収納部ＩＤ情報を有する前記収納部の前記使用状態から前記未使用状態に更新する解除指令を送信する解除指令送信手段と、
を備えることを特徴とする収納装置。
【請求項２】
前記収納部が前記使用状態にあるか前記未使用状態にあるかを表示する使用状態表示手段を有することを特徴とする請求項１記載の収納装置。
【請求項３】
前記収納部が施錠状態にあるか解錠状態にあるかを表示する施解錠状態表示手段を有することを特徴とする請求項２記載の収納装置。
【請求項４】
前記電気錠制御装置は、前記電気錠の施錠時には、前記カードＩＤ情報が読み取られた前記ＩＣカードに、前記選択済み情報を記録し、前記電気錠の解錠時には、前記選択済み情報を前記ＩＣカードから消去する選択済み情報記録手段を備え、
前記解除指令送信手段は、
前記ＩＣカードが前記選択済み情報を記録している場合は、前記ＩＣカードの返却を受け付けないことを特徴とする請求項１乃至３のいずれか１つに記載の収納装置。
【請求項５】
複数の収納部と、前記収納部の各々に設けられた電気錠の施解錠を制御する電気錠制御装置と、前記電気錠制御装置と通信可能に接続して前記収納部の各々の使用状況を管理する上位コントローラとを備え、前記電気錠制御装置は、固有のカードＩＤ情報を有するＩＣカードに記録されている情報の読み取り、または前記ＩＣカードに記録する情報の書き込みを行うＩＣカード通信手段と、前記収納部が解錠されている未使用状態であって、かつ前記収納部が選択されたことを示す情報である選択済み情報が前記ＩＣカードに記録されていない場合に、前記ＩＣカードから読み取った前記カードＩＤ情報を格納する格納手段と、前記格納手段に格納されている前記カードＩＤ情報と、前記ＩＣカードから読み取った前記カードＩＤ情報とを照合する照合手段と、前記カードＩＤ情報の格納により前記電気錠を施錠し、前記照合手段による前記カードＩＤ情報の照合の成立により前記電気錠を施錠または解錠する電気錠制御手段と、前記カードＩＤ情報と、前記カードＩＤ情報の格納により前記電気錠を施錠した前記収納部に固有の収納部ＩＤ情報を前記上位コントローラに送信する送信手段とを備え、前記上位コントローラは、前記カードＩＤ情報と前記収納部ＩＤ情報とを前記電気錠制御装置から受信する受信手段と、前記カードＩＤ情報と前記収納部ＩＤ情報とから、前記収納部と前記ＩＣカードとの対応関係を管理する管理手段とを備えた収納装置の管理方法において、
前記カードＩＤ情報の格納により前記収納部が前記ＩＣカードに割り当てられていない未使用状態から前記収納部が前記ＩＣカードに割り当てられた使用状態に更新し、前記上位コントローラが前記ＩＣカードの返却を受け付けて前記ＩＣカードの前記カードＩＤ情報に対応する前記収納部ＩＤ情報を有する前記収納部に解除指令を送信することで前記使用状態から前記未使用状態に更新することを特徴とする収納装置の管理方法。
【発明の詳細な説明】
【０００１】
【発明の属する技術分野】
本発明は収納装置および収納装置の管理方法に関し、特にロッカーなどの収納部に設けられた電気錠をＩＣカードによって施解錠する収納装置および収納装置の管理方法に関する。
【０００２】
【従来の技術】
温浴施設などの各種レジャー施設では、施設の利用者が使用できるロッカーなどの収納装置が備え付けられている。このような収納装置は、各利用者が荷物の収納などに使用するための収納部を複数備え、各収納部には、所定の鍵を用いて施解錠する錠が設けられている。近年では、このような収納装置が備える収納部の錠に、ＩＣカードを鍵として電気的に施解錠する電気錠が用いられてきている。
【０００３】
このようなＩＣカードによって施解錠する電気錠が設けられたロッカーの収納部を利用する場合、まず、利用者は、その施設の受付に行き、一方、受付は、利用者に割り当てるロッカーの収納部を決定してその収納部の番号についての情報を書き込んだＩＣカード、あるいは、あらかじめ収納部の番号が書き込まれているＩＣカードを利用者に渡す。ＩＣカードを受け取った利用者は、その番号に該当する収納部を、複数ある収納部の中から見つけ出し、渡されたＩＣカードを鍵にしてその収納部の電気錠を施解錠する。したがって、利用者は、使用終了後まで、この割り当てられた収納部のみを使用することになる。
【０００４】
【発明が解決しようとする課題】
しかしながら、従来は、個々の収納部に電気錠が設けられている収納装置を利用する場合、利用者が施設などの受付で割り当てられるＩＣカードが、これが記憶している番号に該当する収納部の電気錠でしか使用することができないものであったため、利用者にとって必ずしも利便性の良い場所にある収納部が割り当てられるとは限らないという問題点があった。さらに、受付では、利用者に割り当てる収納部を選び出して処理する手間がかかるという問題点がある。
【０００５】
本発明はこのような点に鑑みてなされたものであり、複数ある収納部の中から使用する収納部を利用者が選択でき、さらに、施設などにおける受付処理を低減できる収納装置および収納装置の管理方法を提供することを目的とする。
【０００６】
【課題を解決するための手段】
本発明では上記問題を解決するために、複数の収納部と、前記収納部の各々に設けられた電気錠の施解錠を制御する電気錠制御装置と、前記電気錠制御装置と通信可能に接続して前記収納部の各々の使用状況を管理する上位コントローラとを備えた収納装置において、前記電気錠制御装置は、固有のカードＩＤ情報を有するＩＣカードに記録されている情報の読み取り、または前記ＩＣカードに記録する情報の書き込みを行うＩＣカード通信手段と、前記収納部が解錠されている未使用状態であって、かつ前記収納部が選択されたことを示す情報である選択済み情報が前記ＩＣカードに記録されていない場合に、前記ＩＣカードから読み取った前記カードＩＤ情報を格納する格納手段と、前記格納手段に格納されている前記カードＩＤ情報と、前記ＩＣカードから読み取った前記カードＩＤ情報とを照合する照合手段と、前記カードＩＤ情報の格納により前記電気錠を施錠するとともに、前記収納部が前記ＩＣカードに割り当てられていない未使用状態から前記収納部が前記ＩＣカードに割り当てられた使用状態に更新し、前記照合手段による前記カードＩＤ情報の照合の成立により前記電気錠を施錠または解錠する電気錠制御手段と、前記カードＩＤ情報と、前記カードＩＤ情報の格納により前記電気錠を施錠した前記収納部に固有の収納部ＩＤ情報を前記上位コントローラに送信する送信手段と、を備え、前記上位コントローラは、前記カードＩＤ情報と前記収納部ＩＤ情報とを前記電気錠制御装置から受信する受信手段と、前記カードＩＤ情報と前記収納部ＩＤ情報とから、前記収納部と前記ＩＣカードとの対応関係を管理する管理手段と、前記ＩＣカードの返却を受け付けて前記ＩＣカードの前記カードＩＤ情報に対応する前記収納部ＩＤ情報を有する前記収納部の前記使用状態から前記未使用状態に更新する解除指令を送信する解除指令送信手段と、を備えることを特徴とする収納装置が提供される。
【０００７】
このような収納装置によれば、収納装置は、複数の収納部と、収納部の各々に設けられた電気錠の施解錠を制御する電気錠制御装置と、電気錠制御装置と通信可能に接続して収納部の各々の使用状況を管理する上位コントローラとを備える。
電気錠制御装置は、ＩＣカード通信手段と、格納手段と、照合手段と、電気錠制御手段と、送信手段と、を備える。上位コントローラは、受信手段と、管理手段と、解除指令送信手段と、を備える。
ＩＣカード通信手段は、固有のカードＩＤ情報を有するＩＣカードに記録されている情報の読み取り、またはＩＣカードに記録する情報の書き込みを行う。格納手段は、収納部が解錠されている未使用状態であって、かつ収納部が選択されたことを示す情報である選択済み情報がＩＣカードに記録されていない場合に、ＩＣカードから読み取ったカードＩＤ情報を格納する。照合手段は、格納手段に格納されているカードＩＤ情報と、ＩＣカードから読み取ったカードＩＤ情報とを照合する。電気錠制御手段は、カードＩＤ情報の格納により電気錠を施錠するとともに収納部を未使用状態から使用状態とし、照合手段によるカードＩＤ情報の照合の成立により電気錠を施錠または解錠する。送信手段は、カードＩＤ情報と、カードＩＤ情報の格納により電気錠を施錠した収納部に固有の収納部ＩＤ情報を上位コントローラに送信する。
受信手段は、カードＩＤ情報と収納部ＩＤ情報とを電気錠制御装置から受信する。管理手段は、カードＩＤ情報と収納部ＩＤ情報とから、収納部とＩＣカードとの対応関係を管理する。解除指令送信手段は、ＩＣカードの返却を受け付けてＩＣカードのカードＩＤ情報に対応する収納部ＩＤ情報を有する収納部の使用状態から未使用状態に更新（使用状態を解除）する解除指令を送信する。
これにより、複数ある収納部の中から任意に選択される収納部に設けられている電気錠の施解錠をＩＣカードによって行い、その収納部を使用することができる。さらに、利用者に割り当てる収納部の選び出しやＩＣカードへの収納部の番号の記録など、施設などにおける受付処理が低減されるようになる。
【０００８】
【発明の実施の形態】
以下、本発明の実施の形態を、非接触ＩＣカードによって施解錠を行う収納装置に適用した場合を例に図面を参照して詳細に説明する。
【０００９】
図１は収納装置の構成ブロック図である。ただし、図１には、収納装置が備える複数の収納部のうち、ひとつの収納部についての構成のみ示している。
収納装置１は、収納部に設けられた電気錠２に接続されて、非接触ＩＣカードに記録されている情報の読み取り／書き込みを行い、この電気錠２の施解錠を行う電気錠制御装置３を有している。電気錠制御装置３は、通信ドライバ回路４を備え、収納装置１が備える各収納部の使用／未使用状況を管理する上位コントローラ５との間で相互に情報を伝達できるようになっている。
【００１０】
電気錠２の施解錠に用いられる非接触ＩＣカードには、１枚の非接触ＩＣカードに固有のＩＤの情報であるカードＩＤ情報、利用者の氏名などの情報である利用者情報、複数の収納部の各収納部に固有のＩＤの情報である収納部ＩＤ情報、および複数ある収納部の中から使用する収納部が選択されてその収納部が使用状態になっていることを示す情報である選択済み情報が、それぞれ読み取り／書き込み可能になっている。電気錠制御装置３によるこれらの情報の読み取り／書き込み処理動作は、制御部６によって制御されている。
【００１１】
電気錠制御装置３は、非接触ＩＣカードとアンテナ７を介して通信し、非接触ＩＣカードにあらかじめ記録されているカードＩＤ情報および利用者情報を復調回路８によって復調し、制御部６が認識可能な信号に変換して受信することにより情報の読み取り処理を行う。書き込み処理の場合には、電気錠制御装置３は、収納部ＩＤ情報および選択済み情報を制御部６から送信し、これらの情報を変調回路９によって変調して非接触ＩＣカードが記録可能な信号に変換し、アンテナ７を介して非接触ＩＣカードに書き込む。
【００１２】
また、電気錠制御装置３は、情報の格納手段としてメモリ１０を有しており、非接触ＩＣカードから読み取られたカードＩＤ情報を格納するようになっている。さらに、電気錠制御装置３は、このメモリに格納されたカードＩＤ情報と、このカードＩＤ情報の格納後に読み取られるカードＩＤ情報とを照合する照合手段１１を有している。そして、電気錠制御装置３によって読み取られたカードＩＤ情報の照合結果に基づいて、電気錠駆動回路によって電気錠の施解錠動作を制御する電気錠制御手段１２により、電気錠２を施解錠する。
【００１３】
さらに、電気錠制御装置３は、収納部の使用／未使用状態を表示する使用状態表示ランプ１３、収納部に設けられた電気錠２の施錠／解錠状態を表示する施解錠状態表示ランプ１４を備えている。また、電気錠制御装置３は、読み取られたカードＩＤ情報および利用者情報に含まれているＩＤおよび利用者氏名を、そのロッカーの扉などに設けられたＬＣＤ（Liquid Crystal Display）やＬＥＤ（Light Emitting Diode）などの表示装置によって表示する表示手段１５と、電気錠２が設けられている収納部の番号およびその収納部が配置されている配置場所を用紙あるいは非接触ＩＣカードに印刷する印刷手段１６とを備えている。使用状態表示ランプ１３、施解錠状態表示ランプ１４、表示手段１５および印刷手段１６は、それぞれ制御部６によって制御されるようになっている。
【００１４】
次に、上記構成の収納装置１の施解錠制御について説明する。収納装置１を設置した施設は、利用者に対し、その受付時に、カードＩＤ情報および利用者情報を記憶させた非接触ＩＣカードを渡す。収納装置１の上位コントローラ５は、各収納部の使用／未使用状況に基づき、電気錠制御装置３に対して使用／未使用状態を表示する指令を送信し、この指令を受けて、電気錠制御装置３は、その収納部の使用／未使用状態を使用状態表示ランプ１３によって表示する。
【００１５】
ここで、電気錠２が解錠されている未使用状態の収納部において、アンテナ７部分に非接触ＩＣカードがかざされると、電気錠制御装置３は、この非接触ＩＣカードに含まれるカードＩＤ情報および利用者情報を読み取り、カードＩＤ情報をメモリ１０に格納する。これに伴い、電気錠制御装置３は、電気錠駆動回路を介して電気錠２を施錠し、使用状態表示ランプ１３の表示を収納部が使用状態にあることを示す表示に切り替えるとともに、電気錠２が施錠状態にあることを施解錠状態表示ランプ１４によって表示する。
【００１６】
メモリ１０へのカードＩＤ情報の格納後、電気錠制御装置３は、このカードＩＤ情報および施錠された電気錠２が設けられている収納部の収納部ＩＤ情報を、通信ドライバ回路４を介して上位コントローラ５に送信する。これにより、上位コントローラ５は、どの収納部の電気錠がどのＩＣカードに割り当てられているかを把握し、各収納部の使用／未使用状況を管理することができる。
【００１７】
さらに、ここで使用された非接触ＩＣカードには、収納部ＩＤ情報および選択済み情報が記録される。そして、読み取ったカードＩＤ情報および利用者情報から、表示手段１５によって、表示装置にＩＤと利用者氏名を表示するとともに、その収納部の番号および配置場所を、所定の用紙あるいは非接触ＩＣカードに、印刷手段１６によって印刷する。
【００１８】
一方、使用状態の収納部のアンテナ７部分に、非接触ＩＣカードがかざされると、収納装置１は、その都度、電気錠制御装置３によって、収納部ＩＤ情報およびカードＩＤ情報の読み取りを行う。ここで読み取られるカードＩＤ情報は、電気錠２が設けられた収納部の使用中に読み取られたカードＩＤ情報である使用中カードＩＤ情報であって、電気錠制御装置３は、この使用中カードＩＤ情報とすでにメモリ１０に格納されているカードＩＤ情報とを照合手段１１によって照合する。それとともに、読み取られた収納部ＩＤ情報とこの収納部の収納部ＩＤ情報との一致を判別する。
【００１９】
そして、電気錠制御装置３は、カードＩＤ情報の照合が成立した場合のみ、電気錠駆動回路を介して電気錠２を施解錠し、この電気錠２の施解錠状態を施解錠状態表示ランプ１４によって表示する。ここで、照合が成立し、施錠されていた電気錠２を解錠する場合には、電気錠制御装置３は、その非接触ＩＣカードに記録されている選択済み情報を消去する。また、使用状態で照合が成立し、解錠されていた電気錠２を施錠する場合には、電気錠制御装置３は、その非接触ＩＣカードに再び選択済み情報を記録する。
【００２０】
さらに、収納部が使用状態となっている場合には、電気錠制御装置３は、非接触ＩＣカードがかざされても、読み取った使用中カードＩＤ情報をメモリ１０に格納しないようになっている。
【００２１】
また、収納部が未使用状態となっている場合であって、読み取った非接触ＩＣカードにカードＩＤ情報と共に選択済み情報が記録されている場合には、カードＩＤ情報を格納しないようになっている。これにより、１度施錠に用いた非接触ＩＣカードによって別の収納部に設けられている電気錠の施解錠は行えないようになっている。
【００２２】
収納部の使用が終了し、非接触ＩＣカードが受付に返却されると、上位コントローラ５は、この非接触ＩＣカードに記録されているカードＩＤ情報を基に、記憶している収納部ＩＤ情報から、使用されていた収納部を特定し、上位コントローラ５からその収納部の電気錠制御装置３に対して、収納部の使用状態を解除して未使用状態とする指令を送信する。この指令を受信した電気錠制御装置３は、メモリ１０に格納されているカードＩＤ情報を消去し、使用状態表示ランプ１３を、収納部が未使用状態であることを示すランプ表示に切り替える。ただし、非接触ＩＣカードの返却時に、その非接触ＩＣカードにまだ選択済み情報が記録されている場合には、上位コントローラ５は、その非接触ＩＣカードを受け付けないようになっている。
【００２３】
そして、この電気錠２に接続されている電気錠制御装置３は、新たな非接触ＩＣカードを受け付け可能な状態となる。
上記の収納装置１によれば、収納部の使用前に、あらかじめカードＩＤ情報および利用者情報が非接触ＩＣカードに記録されていて、この非接触ＩＣカードを用いることにより、未使用状態にある複数の収納部から、使用する収納部を選択できる。したがって、利用者が、好みの場所の収納部を自由に選択して使用することができるようになる。一方、施設側では、利用者に割り当てる収納部の選び出しやＩＣカードへの収納部の番号の記録など、受付での処理が低減されるようになる。
【００２４】
また、施錠時に非接触ＩＣカードに選択済み情報を記録し、未使用状態の収納部で読み取った非接触ＩＣカードにカードＩＤ情報と共に選択済み情報が記録されている場合には、そのカードＩＤ情報を格納しないようになっているので、１度施錠に用いた非接触ＩＣカードによって別の収納部に設けられている電気錠の施解錠が行えないようになっている。
【００２５】
収納装置１では、使用状態表示ランプ１３によって収納部の使用／未使用状態が表示されるので、利用者は、未使用状態の収納部を容易に見つけ出すことができる。
【００２６】
また、ＩＤおよび利用者氏名が表示装置に表示されるので、使用／未使用状態の確認、使用している収納部の見つけ出しが容易になる。
さらに、利用者には、使用している収納部の番号や配置場所が印刷されて渡されるので、収納部を見つけ出す際の便宜となる。
【００２７】
次に、収納装置１における電気錠２の施解錠制御の処理について説明する。図２および図３は収納装置の処理の流れを示すフローチャートである。はじめに電気錠制御装置３は、非接触ＩＣカードの読み取り待機状態になっている。まず、収納装置１では、電気錠制御装置３によって非接触ＩＣカードの読み取りが行われたか否かが判断され（ステップＳ１）、読み取りが行われていないと判断された場合には、引き続き、非接触ＩＣカードの読み取り待機状態が維持される。ステップＳ１において、非接触ＩＣカードの読み取りが行われたと判断された場合には、次に、この読み取りが行われた収納部が未使用状態であるか否かが判断される（ステップＳ２）。ここで、収納部が未使用状態であると判断された場合には、この非接触ＩＣカードに選択済み情報が記録されているか否かが判断される（ステップＳ３）。非接触ＩＣカードに選択済み情報が記録されていないと判断された場合には、メモリ１０にカードＩＤ情報が格納されて（ステップＳ４）、電気錠２が施錠され（ステップＳ５）、この収納部が使用状態であることが使用状態表示ランプ１３によって表示される（ステップＳ６）。さらに、この非接触ＩＣカードに収納部ＩＤ情報および選択済み情報が記録され（ステップＳ７）、上位コントローラ５にカードＩＤ情報および収納部ＩＤ情報が送信される（ステップＳ８）。
【００２８】
また、ステップＳ２において、収納部が未使用状態でない、すなわち使用状態であると判断された場合には、使用された非接触ＩＣカードのカードＩＤ情報である使用中カードＩＤ情報とメモリ１０に格納されているカードＩＤ情報とが一致するか否かが判断される（ステップＳ９）。使用された非接触ＩＣカードの使用中カードＩＤ情報がメモリ１０に格納されているカードＩＤ情報と一致すると判断された場合には、電気錠２が施錠状態であるか否かが判断される（ステップＳ１０）。ここで、電気錠２が施錠状態であると判断された場合には、電気錠２を解錠し（ステップＳ１１）、施錠状態でないと判断された場合には、電気錠２を施錠する（ステップＳ１２）。
【００２９】
ステップＳ９において、使用された非接触ＩＣカードの使用中カードＩＤ情報がメモリ１０に格納されているカードＩＤ情報と一致しないと判断された場合、ステップＳ１１およびステップＳ１２における施解錠後は、ステップＳ１に戻り、非接触ＩＣカードの読み取り待機状態となる。
【００３０】
また、ステップＳ３において、使用された非接触ＩＣカードに選択済み情報が記録されていると判断された場合、およびステップＳ８において上位コントローラ５にカードＩＤ情報および収納部ＩＤ情報が送信された後も、ステップＳ１に戻り、非接触ＩＣカードの読み取り待機状態となる。
【００３１】
なお、以上の説明では、非接触ＩＣカードを用いて収納部の電気錠を施解錠する構成としたが、本発明では、ＩＣチップなどを内蔵したタグ形状やリストバンド形状の情報読み取り／書き込み可能な情報記録媒体を用いることもでき、以上の説明における非接触ＩＣカードには、その形状として、タグ形状やリストバンド形状など、カード型以外の形状の情報記録媒体を含めるものとする。
【００３２】
また、以上の説明では、収納部の電気錠を施解錠するためのＩＣカードとして、アンテナを介して非接触の状態で制御部と情報の通信を行う非接触ＩＣカードを用いたが、コンタクトを介して直接接触することにより情報を伝達する接触式の接触ＩＣカードを用いて、収納部の電気錠を施解錠する構成としてもよい。この場合、収納装置の各収納部には、接触ＩＣカードの挿入口、およびアンテナに替えて接触ＩＣカードの読み取り／書き込み機構を備える電気錠制御装置が設けられる。そして、挿入口から挿入された接触ＩＣカードが含んでいる情報を電気錠制御装置で読み取るようにすることで、各収納部の電気錠の施解錠制御および処理が実現されるようになる。
【００３３】
【発明の効果】
以上説明したように、本発明では、電気錠に接続された電気錠制御装置によって、ＩＣカードのカードＩＤ情報を読み取ってこの電気錠の施錠を行い、施錠に用いられたＩＣカードのカードＩＤ情報と同一のカードＩＤ情報が読み取られた場合に、この電気錠を解錠する。これにより、複数ある収納部の中から選択される収納部に設けられた電気錠の施解錠をＩＣカードによって行い、その収納部を使用することができ、ＩＣカードによって収納部の場所が決められてしまうことがなくなる。さらに、利用者に割り当てる収納部の選び出しやＩＣカードへの収納部の番号の記録など、施設などにおける受付処理が低減されるようになる。
【図面の簡単な説明】
【図１】収納装置の構成ブロック図である。
【図２】収納装置の処理の流れを示すフローチャート（その１）である。
【図３】収納装置の処理の流れを示すフローチャート（その２）である。
【符号の説明】
１  収納装置
２  電気錠
３  電気錠制御装置
４  通信ドライバ回路
５  上位コントローラ
６  制御部
７  アンテナ
８  復調回路
９  変調回路
１０  メモリ
１１  照合手段
１２  電気錠制御手段
１３  使用状態表示ランプ
１４  施解錠状態表示ランプ
１５  表示手段
１６  印刷手段
【図１】
0004720045.tif 000002
【図２】
0004720045.tif 000003
【図３】
0004720045.tif 000004